(57)【要約】   【課題】携帯電話サーバに記憶されている画像または音楽データを受信者へ送信することができる携帯電話、携帯電話サーバおよび携帯電話システムを提供する。  【解決手段】発信者の携帯電話１からのメッセージを受信したか否かを確認する（Ｓ２４）。メッセージを受信した場合は（Ｓ２４：Ｙｅｓ）、そのメッセージと同時に送信された画像番号、曲番号を識別するＩＤ（識別子）を作成し、受信したメッセージにそのＩＤを添付して、指定された受信者のメールアドレスへメールを送信する（Ｓ２５）。  このメールを受信した携帯電話１は、メッセージとともにＩＤが添付されているので、このＩＤに基づいて携帯電話サーバ２へアクセスし、画像データまたは音楽データを受信する。  【選択図】    図５
2006033017.tif 000002
【特許請求の範囲】
【請求項１】
複数の携帯電話と通信回線を介して情報の送受が可能な携帯電話サーバにおいて、
携帯電話の表示画面に表示可能な複数の画像データと携帯電話により再生可能な複数の音楽データとを記憶する記憶手段と、
第１の携帯電話から受信したメッセージと、前記記憶手段に記憶された複数の画像データおよび音楽データの中から前記第１の携帯電話により指定された画像データまたは音楽データを特定するデータ特定情報とを第１の携帯電話により指定された第２の携帯電話へ通知する通知手段と、
その通知手段により通知された前記データ特定情報に基づいて、前記第２の携帯電話が携帯電話サーバにアクセスした場合に、前記第１の携帯電話により指定された画像データまたは音楽データを前記第２の携帯電話へ送信する送信手段とを備えていることを特徴とする携帯電話サーバ。
【請求項２】
前記第２の携帯電話が携帯電話サーバへアクセスした場合に、前記第２の携帯電話の機種を判別する判別手段を備え、
前記送信手段は、前記判別手段により判別された機種に応じた画像データまたは音楽データを送信するものであることを特徴とする請求項１記載の携帯電話サーバ。
【請求項３】
前記送信手段は、前記判別手段により判別された機種が有する表示画面の画素数に応じた画像データを送信するものであることを特徴とする請求項２記載の携帯電話サーバ。
【請求項４】
前記送信手段は、前記判別手段により判別された機種が有する音源の種類に応じた音楽データを送信するものであることを特徴とする請求項２記載の携帯電話サーバ。
【請求項５】
前記第２の携帯電話に、画像データまたは音楽データが送信された場合に、前記第１の携帯電話の所有者に課金を行う課金手段を備えていることを特徴とする請求項１から４のいずれかに記載の携帯電話サーバ。
【請求項６】
携帯電話の表示画面に表示可能な複数の画像データと携帯電話により再生可能な複数の音楽データとを記憶する記憶手段を有する携帯電話サーバと通信を行う携帯電話において、
メッセージを作成するメッセージ作成手段と、
前記携帯電話サーバの記憶手段に記憶された複数の画像データの中から所望の画像データを指定する画像データ指定手段と、
前記携帯電話サーバの記憶手段に記憶された複数の音楽データの中から所望の音楽データを指定する音楽データ指定手段と、
前記メッセージ作成手段により作成されたメッセージの送付先である第２の携帯電話を指定する送付先指定手段と、
前記メッセージ作成手段により作成されたメッセージと、前記画像データ指定手段によ指定された画像データまたは前記音楽データ指定手段により指定された音楽データを指定する指定情報と、前記送付先指定手段により指定された前記第２の携帯電話のアドレスと、を送信する送信手段とを備えていることを特徴とする携帯電話。
【請求項７】
請求項１から５のいずれかに記載された携帯電話サーバと、請求項６記載の携帯電話とを有し、更に前記携帯電話サーバよりメッセージとデータ特定情報とを受信し、そのデータ特定情報に基づいて前記携帯電話サーバへアクセスすることが可能な第２の携帯電話とが通信回線を介して接続されていることを特徴とする携帯電話システム。
【発明の詳細な説明】
【技術分野】
【０００１】
本発明は、第１の携帯電話により指定された画像データまたは音楽データを第２の携帯電話へ送信することができる携帯電話、携帯電話サーバおよび携帯電話システムに関する。
【背景技術】
【０００２】
従来、携帯電話では、メッセージとともに画像データや音楽データを添付して電子メールを希望する受信者に送信することができた。特開２００３−３４８１６０号公報（特許文献１）には、画像メールに音楽を添付して送信することができる携帯電話システムが開示されている。この携帯電話システムでは、携帯電話から送信された画像データに対して、指定された音楽の種類に基づいて曲が自動的に作成され、その曲の音楽データが画像データとともに指定されたメールアドレスへ送信される。
【特許文献１】特開２００３−３４８１６０号公報
【発明の開示】
【発明が解決しようとする課題】
【０００３】
しかしながら、携帯電話の機種によっては、メールに画像や音楽を添付して送信する機能を備えていないものがある。また、特許文献１に開示されるような音楽の種類に基づいて自動的に作成された曲は、音楽としての魅力に乏しく、むしろよく知られている曲の方が喜ばれることが多い。しかし、よく知られた曲は、著作権の保護を目的として、メールに添付して希望する受信者に送信することができない場合がある。つまり、メールで受信した映像や音楽データを携帯電話が記憶し、さらに第三者へ転送することになれば、著作権侵害となるので、著作権を有する楽曲は、試聴することはできるが、メールに添付して送信することができないように設定されている。
【０００４】
また、携帯電話の種類は増え、携帯電話により機能や性能が異なるので、送信側では、受信側の携帯電話の機能や性能を認識できないために、受信側では最適な状態で表示あるいは再生できない場合があるという問題点があった。例えば、音楽データについては、ＭＩＤＩ（Musical Instrument Digital Interface）のような、音色や音高および発音の開始や停止の指示である音符情報に応じて楽音を形成する音源や、所定のサンプリング周波数で標本化されたサンプリングデータを入力して楽音を発生するものなどがある。よって、サンプリングデータを入力して楽音を発生する音源を備えていない携帯電話が、サンプリングデータを受信しても再生することができない。同様に、音符に対応する楽音を発生する音源を備えていない携帯電話の場合には、音符情報を受信しても再生することができない。
【０００５】
また、音符情報に対応する楽音を発生する音源のタイプの場合には、機種により、音色を指定する情報と、その情報に応じて発生される音色との対応関係が異なる場合があり、機種により異なった音色で発音されることになる。よって、同じ音符情報を受信する場合には、ある機種では、良好な音楽が再生されても、別の機種では音色が異なるために、違和感のある音楽が再生されることになる。また、いわゆる同時発音数といわれる同時に形成できる楽音の数は、機種により異なるので、同時発音数が多い機種に合わせて作成された演奏データを、同時発音数が少ない音源に入力すると、メロディが途切れるなどの不具合を発生するという問題点がある。
【０００６】
また、サンプリングデータを入力して発音するタイプの音源では、サンプリング周波数が異なると、正常に発音できないという問題点がある。
【０００７】
また、画像データについても、画像を表示する機能がないものや、画像を表示する機能を有する場合には、白黒画像を表示できるがカラー画像を表示できないものもある。また、表示器の画素数が機種により異なり、受信する携帯電話の機種に応じた画像データでなければ良好に表示できないという問題点があった。
【０００８】
本発明は、上記問題点を解決するためになされたものであり、携帯電話サーバに記憶されている画像または音楽データを受信者へ送信することができる携帯電話、携帯電話サーバおよび携帯電話システムを提供することを目的とする。
【課題を解決するための手段】
【０００９】
この目的を達成するために、請求項１記載の携帯電話サーバは、複数の携帯電話と通信回線を介して情報の送受が可能なものであり、携帯電話の表示画面に表示可能な複数の画像データと携帯電話により再生可能な複数の音楽データとを記憶する記憶手段と、第１の携帯電話から受信したメッセージと、前記記憶手段に記憶された複数の画像データおよび音楽データの中から前記第１の携帯電話により指定された画像データまたは音楽データを特定するデータ特定情報とを第１の携帯電話により指定された第２の携帯電話へ通知する通知手段と、その通知手段により通知された前記データ特定情報に基づいて、前記第２の携帯電話が携帯電話サーバにアクセスした場合に、前記第1の携帯電話により指定された画像データまたは音楽データを第２の携帯電話へ送信する送信手段とを備えている。
【００１０】
請求項２記載の携帯電話サーバは、請求項１に記載の携帯電話サーバにおいて、前記第２の携帯電話が携帯電話サーバへアクセスした場合に、前記第２の携帯電話の機種を判別する判別手段を備え、前記送信手段は、前記判別手段により判別された機種に応じた画像データまたは音楽データを送信するものである。
【００１１】
請求項３記載の携帯電話サーバは、請求項２記載の携帯電話サーバにおいて、前記送信手段は、前記判別手段により判別された機種が有する表示画面の画素数に応じた画像データを送信するものである。
【００１２】
請求項４記載の携帯電話サーバは、請求項２記載の携帯電話サーバにおいて、前記送信手段は、前記判別手段により判別された機種が有する音源の種類に応じた音楽データを送信するものである。
【００１３】
請求項５記載の携帯電話サーバは、請求項１から４のいずれかに記載の携帯電話サーバにおいて、前記第２の携帯電話に、画像データまたは音楽データが送信された場合に、前記第１の携帯電話の所有者に課金を行う課金手段を備えている。
【００１４】
請求項６記載の携帯電話は、携帯電話の表示画面に表示可能な複数の画像データと携帯電話により再生可能な複数の音楽データとを記憶する記憶手段を有する携帯電話サーバと通信を行うものであり、メッセージを作成するメッセージ作成手段と、前記携帯電話サーバの記憶手段に記憶された複数の画像データの中から所望の画像データを指定する画像データ指定手段と、前記携帯電話サーバの記憶手段に記憶された複数の音楽データの中から所望の音楽データを指定する音楽データ指定手段と、前記メッセージの送付先である第２の携帯電話を指定する送付先指定手段と、前記メッセージ作成手段により作成されたメッセージと、前記画像データ指定手段によ指定された画像データまたは前記音楽データ指定手段により指定された音楽データを指定する指定情報と、前記送付先指定手段により指定された前記第２の携帯電話のアドレスと、を送信する送信手段とを備えている。
【００１５】
請求項７記載の携帯電話システムは、請求項１から５のいずれかに記載された携帯電話サーバと、請求項６記載の携帯電話とを有し、更に前記携帯電話サーバよりメッセージとデータ特定情報とを受信し、そのデータ特定情報に基づいて前記携帯電話サーバへアクセスすることが可能な第２の携帯電話とが通信回線を介して接続されているものである。
【発明の効果】
【００１６】
請求項１記載の携帯電話サーバによれば、複数の画像データおよび音楽データを記憶する記憶手段を有し、第１の携帯電話から受信したメッセージと、第１の携帯電話により指定された画像データまたは音楽データを特定するデータ特定情報とを第１の携帯電話により指定された第２の携帯電話へ通知し、第２の携帯電話が携帯電話サーバにアクセスした場合に、第１の携帯電話により指定された記憶手段に記憶される画像データまたは音楽データを第２の携帯電話へ送信するので、第１の携帯電話から、メッセージに所望の画像データまたは音楽データを添付して送信できない場合にも、第２の携帯電話に、メッセージと所望の画像データまたは音楽データを送付することができるという効果がある。
【００１７】
請求項２記載の携帯電話サーバによれば、請求項１に記載の携帯電話サーバの奏する効果に加え、第２の携帯電話が携帯電話サーバへアクセスした場合、第２の携帯電話の機種を判別し、判別された機種に応じた画像データまたは音楽データを送信するので、第２の携帯電話で良好な状態の画像を表示する、または、音楽を再生することができるという効果がある。受信する携帯電話の機能や性能を認識せずに画像や音楽を送信すると、受信した携帯電話で表示あるいは再生できない場合や、表示あるいは再生できる場合であっても、良好な状態で表示あるいは再生することができない。
【００１８】
請求項３記載の携帯電話サーバによれば、請求項２記載の携帯電話サーバの奏する効果に加え、送信手段は、判別手段により判別された機種が有する表示画面の画素数に応じた画像データを送信するので、第２の携帯電話の表示画面の画素数に応じて良好な画像データが表示されるという効果がある。
【００１９】
請求項４記載の携帯電話サーバによれば、請求項２記載の携帯電話サーバの奏する効果に加え、送信手段は、判別手段により判別された機種が有する音源の種類に応じた音楽データを送信するので、第２の携帯電話の音源の種類に応じた良好な音楽を再生することができるという効果がある。
【００２０】
請求項５記載の携帯電話サーバによれば、請求項１から４のいずれかに記載の携帯電話サーバの奏する効果に加え、第２の携帯電話に、画像データまたは音楽データが送信された場合に、第１の携帯電話の所有者に課金を行う課金手段を備えているので、第２の携帯電話の保有者が画像データまたは音楽データを受信した場合にだけ第１の携帯電話の保有者に課金が行われる。したがって、第２の携帯電話の保有者が受信を拒否した場合には、課金されないので、合理的であるという効果がある。
【００２１】
請求項６記載の携帯電話は、メッセージを作成するとともに、携帯電話サーバが記憶する画像データまたは音楽データを指定し、送付先である第２の携帯電話を指定すると、携帯電話サーバから第２の携帯電話へ、本携帯電話で作成したメッセージと指定した画像データまたは音楽データを特定するデータ特定情報を第２の携帯電話へ送り、第２の携帯電話が携帯電話サーバにアクセスした場合に、そのデータ特定情報に基づいて、本携帯電話で指した画像データまたは音楽データを第２の携帯電話へ送信することができる。よって、携帯電話が送信するメッセージに画像データや音楽データを添付して送信できない場合においても、携帯電話サーバから第２の携帯電話へメッセージとともに、画像データまたは音楽データを送信することができるという効果がある。
【００２２】
請求項７記載の携帯電話システムによれは、請求項１から５のいずれかに記載された携帯電話サーバの奏する効果と、請求項６記載の携帯電話の奏する効果がある。
【発明を実施するための最良の形態】
【００２３】
以下、本発明の好ましい実施例について、添付図面を参照して説明する。図１は、本発明の携帯電話１および携帯電話サーバ２が接続される携帯電話システムを示す構成図である。携帯電話システムは、多数の携帯電話１と携帯電話サーバ２と、これらを結ぶ携帯電話通信網３とにより構成される。
【００２４】
携帯電話１は、無線により基地局と送受信を行い、通話を行ったり情報を送受することができる通信装置である。近年、デジタルカメラが搭載されて高解像度の画像を撮影し、その画像を他の携帯電話へ転送したり、パーソナルコンピュータへ取り込んだりすることができる。また、これらの画像を表示する画素数の多いカラーの表示画面が搭載され、携帯電話サーバ２から動画や静止画像を受信して表示することができる。
【００２５】
また、携帯電話１には、着信したことを知らせるメロディを再生することができる高音質の音源が搭載され、携帯サーバ２が供給するメロディの演奏データを記憶して、着信時等に再生することができる。
【００２６】
また、いわゆるブロードバンドといわれる広帯域の通信方式が開発され、動画や静止画等の画像データまたは音楽データを高速で受信することができるようになっている。
【００２７】
携帯電話サーバ２は、これらの携帯電話１に、画像データや音楽データを供給するため、大容量かつ高性能のコンピュータにより構成され、携帯電話１から要求があった場合にこれらの画像データや音楽データを配信することができる。
【００２８】
図２は、携帯電話１の電気的な構成を示したブロック図である。携帯電話１は、ＣＰＵ１０と、ＲＯＭ１１と、フラッシュＲＯＭ１２と、ＲＡＭ１３と、通信部１４と、その通信部１４に接続された受話器１５と送話器１６と、デジタルカメラ１７と、ディスプレイ１８と、操作子１９と、音源２０と、アンプ２１とスピーカ２２とにより構成されている。ＣＰＵ１０は、ＲＯＭ１１に記憶された制御プログラムに従って、各種処理を行う中央処理装置であり、ＲＯＭ１１は、書き替えることができない不揮発性のメモリであって、各種制御プログラムや各種処理に必要な定数などを記憶している。
【００２９】
フラッシュＲＯＭ１２は、書き替えが可能な不揮発性のメモリであり、デジタルカメラ１７により撮影された画像データや、通信部１４を介して受信した映像や音声のデータや、携帯電話１により作成されたメッセージおよび受信したメッセージや、複数の送信相手の電話番号とメールアドレスを記憶するアドレス帳などが記憶されている。
【００３０】
ＲＡＭ１３は、ＣＰＵ１０が各種の処理を行う際に、変数や定数を一時記憶するためのワークエリアを有する揮発性のメモリである。通信部１４は、無線により携帯電話の基地局と通信を行うもので、受話器１５は、通信部１４で受信した相手方の送話を音声信号に変換して発音し、送話器１６は、話し手の音声を電気信号に変換して通信部１４へ出力するものである。
【００３１】
また、通信部１４は、基地局を介して携帯電話サーバ２と接続され、携帯電話サーバ２から、映像や音楽データをダウンロードしたり、逆に携帯電話１に備えられたデジタルカメラ１７により撮影された画像データを、携帯電話サーバ２へアップロードすることができる。
【００３２】
デジタルカメラ１７は、レンズを通して入力された映像をＣＣＤなどの素子によりデジタル画像データに変換してフラッシュＲＯＭに記憶するもので、記憶された画像データは、ディスプレイ１８に表示され、メールにより他の携帯電話１や携帯電話サーバ２へ送信することができる。
【００３３】
ディスプレイ１８は、液晶により構成される表示器であって、カラーの静止画像や動画像を表示したり、メールにより受信したメッセージを表示したり、メッセージを作成する際に、入力された文字が順次表示するものである。
【００３４】
操作子１９は、携帯電話１の各種機能を設定するスイッチと文字や数字を入力するキーとにより構成される。ディスプレイ１８上に、アイコンを表示し、そのアイコンにカーソルを合わせてクリックすることにより、機能を選択することも可能である。
【００３５】
音源２０は、音高と発音を開始または停止を指示する音符情報を入力し、その音符情報に対応する楽音を形成するもので、ピアノやバイオリンなどの各種楽器音を記憶し、これらを読出して音高や大きさなどが制御される。また、音源２０には、通信部１４によりパケット方式で受信された音楽データを順次所定のサンプリング周波数で出力するストリーミング再生機能を有し、携帯電話サーバ２から送られてくる動画に同期して音楽を再生することができる。
【００３６】
アンプ２１は、音源２０により出力されたデジタル音声信号をアナログ信号に変換し、そのアナログ信号を増幅してスピーカ２２を駆動し、スピーカ２２は、楽音を放音するものである。
【００３７】
図３は、携帯電話サーバ２の電気的な構成を示したブロック図である。携帯電話サーバ２は、ＣＰＵ３０と、ＲＯＭ３１と、ＲＡＭ３２と、通信インターフェース３３と、ハードディスク３４と、キーボード３５と、ディスプレイ３６とにより構成されている。ＣＰＵ３０は、高性能なマイクロプロセッサであり、ＲＯＭ３１に記憶された制御プログラムに従って各種処理を行うものであり、ＲＯＭ３１は、書き替えることができない不揮発性のメモリであって、各種制御プログラムや各種処理に必要な定数などを記憶している。
【００３８】
ＲＡＭ３２は、ＣＰＵ３０が各種の処理を行う際に、変数や定数を一時記憶するためのワークエリアを有する揮発性のメモリである。通信インターフェース３３は、携帯電話通信網３を介して各携帯電話１と通信を行うインターフェースであり、基地局とは光ファイバーなどで接続されている。
【００３９】
ハードディスク３４は、大容量の不揮発性メモリであり、多数の画像データ３４ａを記憶するエリアと多数の音楽データ３４ｂを記憶するエリアと携帯電話の機種に対応して携帯電話に備えられている表示画面の画素数や、圧縮画像データの解凍を行うプログラムの種類や、楽音を形成する音源の種類および音声データの圧縮伸張機能の種類などを記憶する機種データ３４ｃを記憶するエリアを備えている。
【００４０】
画像データ３４ａを記憶するエリアには、携帯電話１が備えているデジタルカメラ１７により撮影された画像データを記憶することも可能である。
【００４１】
キーボード３５は、コンピュータ用のキーボードであって、英数文字に対応する複数のキーを有し、携帯電話サーバ２に情報を入力したり、プログラムの実行、停止を指示することができる。ディスプレイ３６は、液晶等の表示器であって、キーボード３５を用いて文字を入力する場合には、その文字が表示されたり、実行中のプログラムの進捗状況などが表示される。
【００４２】
つぎに、携帯電話１のＣＰＵ１０により実行される処理について説明する。図４は、携帯電話１により実行される処理を示すフローチャートである。この処理は、送信側の携帯電話１において、送信者がメールを送信する機能を選択した場合に実行される処理である。まず、送信者によりメッセージが作成される。送信者は、携帯電話１のテンキーなどの操作子を操作して文字を入力し、携帯電話１はその入力された文字を順次ディスプレイに表示する。必要に応じて、平仮名をカタカナや漢字に変換し、メッセージが作成され、そのメッセージは、ＲＡＭ１３に記憶される（Ｓ１）。
【００４３】
次に、送信者が送信相手に画像を送信するか否かを確認する（Ｓ２）。送信者が画像を送信することを選択した場合（Ｓ２：Ｙｅｓ）、携帯電話サーバ２に対し携帯電話サーバ２のハードディスク３４に記憶されている多数の画像データのリストの送信要求を送信する。その送信要求に応じて携帯電話サーバ２から送信されたリスト中から、送信者は送信する画像を選択し、携帯電話１は、その選択された画像を認識する（Ｓ３）。リストを要求する場合に、送信者が画像のジャンル（例えば、人物、風景、イベントなど）を指定し、そのジャンルに応じたリストを要求するようにしてもよい。また、必要に応じて画像データの送信要求を携帯電話サーバ２に送信し、送信された画像データをディスプレイ１８に表示して送信者が確認し、決定してもよい。
【００４４】
携帯電話１は、その選択された画像を指定する画像番号をＲＡＭ１３に記憶する（Ｓ４）。なお、画像データとして、携帯電話１に備えられているデジタルカメラ１７により撮影された画像データを携帯電話サーバ２に送信し、その画像データに対応する画像番号をＲＡＭ１３に記憶してもよい。
【００４５】
画像番号を記憶した場合（Ｓ４）および送信者が画像を送信しないことを選択した場合（Ｓ２：Ｎｏ）は、つぎに携帯電話サーバ２が記憶している多数の音楽データの中から選択して受信者に送信するか否かを確認する（Ｓ５）。送信者が音楽データを送信することを選択した場合は（Ｓ５：Ｙｅｓ）、携帯電話サーバ２のハードディスク３４に記憶されている多数の音楽データのリストの送信要求を送信する。、その送信要求に応じて携帯電話サーバ２から送信されたリスト中から、送信者が受信者に送信する曲を選択し、携帯電話１は、その選択された曲を認識する（Ｓ６）。画像の場合と同様に、リストを要求する場合に、送信者が曲のジャンル（例えばクラシック、ロック、ジャズなど）を指定し、そのジャンルに応じたリストを要求してもよい。また、必要に応じて曲データの送信要求を携帯電話サーバ２に送信し、送信された曲データを再生し、送信者が曲を試聴してから決定してもよい。
【００４６】
携帯電話１は、選択された曲を指定する曲番号をＲＡＭ１３に記憶する（Ｓ７）。なお、曲データとして、携帯電話１に備えられているテンキー等を用いて入力された自作曲を携帯電話サーバ２に送信し、その音楽データに対応する曲番号をＲＡＭ１３に記憶してもよい。
【００４７】
曲番号を記憶した場合（Ｓ７）およびＳ５の処理において画像を送信しないことを選択した場合（Ｓ５：Ｎｏ）は、つぎに送信相手のメールアドレスを設定する。そのために、フラッシュＲＯＭ１２に記憶しているアドレス帳の名前のリストをディスプレイ１８に表示する。そのリストの中から送信者が選択すると携帯電話１は、受信する携帯電話１のメールアドレスを認識し（Ｓ８）、そのメールアドレスをＲＡＭ１３に記憶する。
【００４８】
メールアドレスの設定が終了すると、ＲＡＭ１３に記憶されたメッセージと画像番号と曲番号と受信者の携帯電話１のメールアドレスとを、携帯電話サーバ２へ送信し（Ｓ９）処理を終了する。
【００４９】
このように、携帯電話１においては、受信者に送るメッセージを作成し、携帯電話サーバ２が記憶している画像データおよび音楽データの中から所望の画像データまたは音楽データを指定して、さらに受信者を指定すると、携帯電話サーバ２に、そのメッセージと、画像データまたは音楽データを指定する指定情報と、受信者の携帯電話のメールアドレスとが送信される。
【００５０】
つぎに、携帯電話サーバ２における処理について説明する。図５は、携帯電話サーバ２における処理を示すフローチャートである。まず、携帯電話１から画像データまたは音楽データのリストの送信要求を受信したかを確認する（Ｓ２０）。リストの送信要求を受信した場合は（Ｓ２０：Ｙｅｓ）、要求されたリストを携帯電話１へ送る（Ｓ２１）。
【００５１】
リストを送信した後、またはＳ２０の処理においてリストの送信要求を受信していない場合（Ｓ２０：Ｎｏ）は、つぎに携帯電話１から画像データまたは音楽データの送信要求を受信したかを確認する（Ｓ２２）。画像データまたは音楽データの送信要求を受信した場合（Ｓ２２：Ｙｅｓ）は、その要求された画像データまたは音楽データを携帯電話１へ送信する（Ｓ２３）。
【００５２】
画像データまたは音楽データを携帯電話１へ送信した後、またはＳ２２の処理において画像データまたは音楽データの送信要求を受信していない場合（Ｓ２２：Ｎｏ）は、つぎに、発信者の携帯電話１からのメッセージを受信したか否かを確認する（Ｓ２４）。メッセージを受信した場合は（Ｓ２４：Ｙｅｓ）、そのメッセージと同時に受信した画像番号または曲番号を識別するＩＤ（識別子：データ特定情報）を作成し、受信したメッセージにそのＩＤを添付して、指定された受信者のメールアドレスへメールを送信する（Ｓ２５）。このＩＤは、送信者と受信者と送信者により指定された画像データまたは音楽データとを特定することができ、誤って受信者以外の携帯電話へその画像データまたは音楽データを送信することがないように、英文字と数字とを組合せた文字列である。携帯電話サーバ２は、このＩＤに対応して送信者と受信者と画像番号または曲番号を記憶し、受信者からアクセスがあった場合にのみ、この画像番号により特定される画像データまたは曲番号により特定される音楽データを受信者の携帯電話１へ送信するものである。
【００５３】
このようにして携帯電話サーバ２は、受信側の携帯電話１へ、メッセージとともに画像データまたは音楽データを特定するＩＤをメールにより送信する。このメールを受信した受信側の携帯電話１は、そのメッセージとＩＤとをディスプレイ１８に表示する。受信者が、その画像データまたは音楽データを受信する場合は、このメールに対する返信を携帯電話サーバ２に送信する操作を行う。この操作により、受信側の携帯電話１は、そのＩＤを含む返信メールを携帯電話サーバ２へ送信する。
【００５４】
Ｓ２５の処理の後、またはＳ２２の処理で発信者からメッセージを受信していない場合（Ｓ２４：Ｎｏ）は、その受信者の携帯電話１からＩＤを含む返信メールを受信したか否かを確認する（Ｓ２６）。ＩＤを含む返信メールを確認した場合は（Ｓ２６：Ｙｅｓ）、受信側の携帯電話１の機種を判別し（Ｓ２７）、その判別した機種に応じてＩＤに対応して記憶されている画像データまたは音楽データをその受信側の携帯電話１へ送信する（Ｓ２８）。
【００５５】
受信する携帯電話１の機種を判別すると携帯電話サーバ２は、ハードディスク３４に記憶されている機種データ３４ｃを参照し、ＩＤにより特定される画像データまたは音楽データを、受信する携帯電話１に適合するデータとして送信する。
【００５６】
画像データについては、受信する携帯電話１の表示画面の画素数を判別し、画素数が少ない場合には、画素数が大きい画面用のデータから間引いて送信する。このことにより、受信側の携帯電話１において表示する画面に最適な画像データを供給することができるとともに、送信するデータを削減し、送信に要する時間を短縮することができる。
【００５７】
また、画像データは、容量が大きいため、ＭＰＥＧやＪＰＥＧなどの圧縮方法で圧縮した画像データを送信する。これを受信した携帯電話１では、その圧縮方法に対応した処理を行って表示する。従って、受信する携帯電話１が備えている圧縮を解凍する方式に適合した圧縮方式で作成した画像データを送信する。
【００５８】
同様に、音楽データについては、受信側の携帯電話１が備えている音源の種類に応じた音楽データを送信する。ＭＩＤＩのような、音色や音高および発音の開始や停止の指示である音符情報に応じて楽音を形成する音源を備えている場合には、音符情報により構成される演奏情報を送信し、所定のサンプリング周波数で標本化されたサンプリングデータを入力して楽音を発生するものなどがある。よって、サンプリングデータを入力して楽音を発生する音源の場合には、サンプリングデータを送信する。
【００５９】
また、サンプリングデータを送信する場合には、受信側の携帯電話１の機種を判別し、その機種が備えている音源が対応しているサンプリング周波数に応じたサンプリングデータを送信する。
【００６０】
また、ＭＩＤＩのような演奏情報に応じて楽音を形成する音源の場合には、音色を指定する情報（ＭＩＤＩの場合には、プログラムチェンジ）により、形成される音色が機種により異なる場合がある。したがって、機種毎に、最適な音色を指定する情報により作成された演奏情報を送信する。
【００６１】
また、このような音源では、同時発音数が異なり、同時発音数が多い音源用に作成された音楽データで、同時発音数が少ない音源で発音すると、発音数が不足し、メロディが途切れるなどの不具合が発生する。したがって、機種の同時発音数にそれぞれ適合した複数の演奏情報を記憶し、同時発音数に適合した演奏情報を送信する。
【００６２】
また、携帯電話１の通信方式が、いわゆるブロードバンドといわれる広帯域の通信方式の場合と、従来の方式とでは、動画や静止画等の画像データまたは音楽データなどの多量のデータ転送する速度が大きく異なり、転送に要する時間も異なる。従って、高速で受信することが可能な場合には、画質や音質が良いデータを高速で送信し、従来方式の受信機の場合には、データ量の少ないデータを送信するようにしてもよい。
【００６３】
以上のようにして、受信者に画像データまたは音楽データを送信した場合は（Ｓ２８）、送信者に、その画像データおよび音楽データを送信したことに対して課金を行う（Ｓ２９）。Ｓ２６の判断処理において、受信者からＩＤを受信していない場合は（Ｓ２６：Ｎｏ）およびＳ２９の課金処理が終了した場合は、その他の処理（例えば、着メロの送信要求を受信した場合には、要求があった着メロを送信するなど）を実行し（Ｓ３０）、Ｓ２０の処理へ戻る。
【００６４】
このように、携帯電話サーバ２は、発信者からメッセージとともに、携帯電話サーバ２が記憶している画像データまたは音楽データの中から受信者に送信したい画像データまたは音楽データを指定する指定情報と、受信者の携帯電話のアドレスと、を受信すると、そのメッセージと、その画像データまたは音楽データを特定するＩＤとを受信者のアドレスに送信する。その受信者が、携帯電話サーバ２にアクセスすると、そのＩＤに基づいて、画像データまたは音楽データを受信者の携帯電話へ送信する。この時、受信者の携帯電話の機種が判別され、その携帯電話の機種に最適な画像データまたは音楽データが送信される。
【００６５】
以上、上記実施例に基づき本発明を説明したが、本発明は、上記実施例に何ら限定されるものでなく、本発明の趣旨を逸脱しない範囲内で種々の改良変形が可能であることは容易に推察できるものである。
【００６６】
例えば、上記実施例では、携帯電話サーバは、受信者にメッセージとＩＤとを送信し、受信した携帯電話が携帯電話サーバへアクセスするとＩＤに基づいて画像データまたは音楽データを送信するものとしたが、受信者には、まずＩＤだけを送信し、そのＩＤを受信した携帯電話がアクセスした場合、メッセージとともに、画像データまたは音楽データを送信するようにしてもよい。
【００６７】
また、上記実施例では、一つの携帯電話から一つの携帯電話へメッセージとともに画像データまたは音楽データを送信するものとしたが、一つの携帯電話から複数の携帯電話へ同時にメッセージとともに画像データまたは音楽データを送信するものとしてもよい。
【００６８】
また、上記実施例では、携帯電話サーバは、受信側の携帯電話へ画像または音楽データを特定するＩＤを送信するものとしたが、インターネットを経由してアクセスするＵＲＬ（ Uniform Resource Locator）を送信するものとしてもよい。なお、ＵＲＬとは、インターネット上に存在する情報資源(文書や画像など)が記憶されている場所を指し示す記述方式であり、情報の種類やサーバ名、ポート番号、フォルダ名、ファイル名などで構成されている。
【００６９】
また、著作権を保護するために、携帯電話サーバ２から送信される画像データおよび音楽データに、受信側の携帯電話では、画像を表示したり音楽を再生することはできても、これらのデータは記憶されないように設定して送信してもよい。このようにして送信された画像データや音楽データは、第三者に転送されることがないので、著作権を保護することができる。
【図面の簡単な説明】
【００７０】
【図１】本発明による携帯電話システムの構成図である。
【図２】携帯電話の電気的な構成を示したブロック図である。
【図３】携帯電話サーバの電気的な構成を示したブロック図である。
【図４】携帯電話におけるメッセージの送信処理を示すフローチャートである。
【図５】携帯電話サーバにおける画像または音楽データの送信処理を示すフローチャートである。
【符号の説明】
【００７１】
１                  携帯電話
２                  携帯電話サーバ
３                  携帯電話通信回線
１０                ＣＰＵ
１３                通信部
１６                デジタルカメラ
１７                ディスプレイ（表示画面）
１９                音源
２０                マイクロフォン（音声入力手段）
３４                ハードディスク（記憶手段）
３４ａ              画像データ
３４ｂ              音楽データ
【図１】
2006033017.tif 000003
【図２】
2006033017.tif 000004
【図３】
2006033017.tif 000005
【図４】
2006033017.tif 000006
【図５】
2006033017.tif 000007